(57)【要約】【課題】従来技術のバックライトモジュールにおける修理しにくいという欠点を解決する。【解決手段】  搭載基板１０上のそれぞれの発光ダイオード１２が設置されている隣に予備の発光ダイオード１２を設置するための溶接点１４が設けられており、元々の発光ダイオード１２が故障したとき、故障した発光ダイオード１２を取り外して修理する必要がなく、溶接点１４に正常な発光ダイオード１２を溶接するだけで故障した発光ダイオード１２の代わりとして使用できる。【選択図】  図３
0003116245.tif 000002
【実用新案登録請求の範囲】
【請求項１】
搭載基板を有し、前記搭載基板上には少なくとも一つの発光ダイオードが設けられ、前記搭載基板の前記発光ダイオードの近くには予備の発光ダイオードを設置するための溶接点が形成され、前記溶接点上の発光ダイオードと搭載基板とは電気的に接続されることを特徴とする予め溶接点を設けたバックライトモジュールの構造。
【請求項２】
前記搭載基板上の前記発光ダイオードが設置されている近くには、少なくとも二組の溶接点が設けられていることを特徴とする請求項１記載の予め溶接点を設けたバックライトモジュールの構造。
【請求項３】
前記搭載基板上には、発光ダイオードを設置する凹溝が形成されていることを特徴とする請求項１記載の予め溶接点を設けたバックライトモジュールの構造。
【請求項４】
前記発光ダイオードは、レンズによって覆われていることを特徴とする請求項１記載の予め溶接点を設けたバックライトモジュールの構造。
【考案の詳細な説明】
【技術分野】
【０００１】
本考案はバックライトモジュールの構造に関し、特に、故障したとき、簡単に修復させることができる発光ダイオードを光源とした予め溶接点を設けたバックライトモジュールの構造に関する。
【背景技術】
【０００２】
デジタル製品の普及と無線通信の発展に伴い、ディスプレイ業界は従来の陰極線管（ＣＲＴ）から軽くて薄い携帯や設置に便利なものへと発展しており、その中でも液晶ディスプレイ（ＬＣＤ）は薄い、軽い、省エネ、低放射線などの長所を有するところから、各種電子製品上に応用され、各種電子機器のディスプレイの主流となっている。
【０００３】
液晶ディスプレイの液晶パネル（ＬＣＤPanel）は発光機能を持たないので、光を液晶パネル上に提供する必要があり、光の供給はバックライトモジュール（Back Light Module）によって行なわれる。バックライトモジュールは直下型とエッジライト型とに分けられ、直下型バックライトモジュールの製造方法の一つとして、搭載基板上に発光ダイオード（ＬＥＤ）を溶接することにより、直接発光ダイオードを搭載基板上に設置し、コストを削減できるものがある。
【０００４】
この種の従来技術(例えば、特許文献１、特許文献２)は、図７、８に示すように、バックライトモジュール９０の発光ダイオード９１が搭載基板９２内に設置され、発光ダイオード９１の外側はレンズ９３によって覆われている。図８から分かるように、レンズ９３は発光ダイオード９１を完全に覆っているので、仮にバックライトモジュール９０の中の一発光ダイオード９１が故障したとき、バックライトモジュール９０を取り外して分解して修理する必要があり、非常に不便であり、場合によっては全体を廃棄することになる場合もある。
図９は、もう一つの従来技術によるバックライトモジュール９０を示す側面図であり、発光ダイオード９１は搭載基板９２上に設置され、外側は同様にレンズ９３によって覆われている。この種の構造においても、発光ダイオード９１が故障して修理する必要が生じたとき、非常に面倒であり、これらの構造は実用性を有さず、改良の必要があった。
【特許文献１】特開２００１−１３３７５７号公報
【特許文献２】実用新案登録第３１１１２７５号
【考案の開示】
【考案が解決しようとする課題】
【０００５】
本考案の目的は、従来技術のバックライトモジュールにおける修理しにくいという欠点を解決できる予め溶接点を設けたバックライトモジュールを提供することにある。
【課題を解決するための手段】
【０００６】
上述の目的を解決するために、本考案は、搭載基板上のそれぞれの発光ダイオードが設置されている隣に予備の発光ダイオードを設置するための溶接点が設けられており、元々の発光ダイオードが故障したとき、故障した発光ダイオードを取り外して修理する必要がなく、溶接点に正常な発光ダイオードを溶接するだけで故障した発光ダイオードの代わりとして使用できるものである。
【０００７】
請求項１の考案は、搭載基板を有し、搭載基板上には少なくとも一つの発光ダイオードが設けられ、搭載基板の発光ダイオードの近くには予備の発光ダイオードを設置するための溶接点が形成され、溶接点上の発光ダイオードと搭載基板とは電気的に接続されることを特徴とする予め溶接点を設けたバックライトモジュールの構造である。
【０００８】
請求項２の考案は、搭載基板上の発光ダイオードが設置されている近くには、少なくとも二組の溶接点が設けられていることを特徴とする請求項１記載の予め溶接点を設けたバックライトモジュールの構造である。
【０００９】
請求項３の考案は、搭載基板上には、発光ダイオードを設置する凹溝が形成されていることを特徴とする請求項１記載の予め溶接点を設けたバックライトモジュールの構造である。
【００１０】
請求項４の考案は、発光ダイオードは、レンズによって覆われていることを特徴とする請求項１記載の予め溶接点を設けたバックライトモジュールの構造である。
【考案の効果】
【００１１】
本考案によれば、仮に、搭載基板上の一発光ダイオードが故障して正常に点灯しなくなった場合でも、その位置のレンズおよびレンズの下の故障した発光ダイオードを取り外して交換する必要がなく、搭載基板上の予備の溶接点に故障した発光ダイオードの隣の溶接点上に正常な発光ダイオードを溶接するだけでよい。新しく溶接した発光ダイオードは故障した発光ダイオードの代わりとして使用でき、煩わしい修理作業や全体を廃棄する必要がない。
【考案を実施するための最良の形態】
【００１２】
本考案の好適な実施例を図面を参照して説明する。
図１、２に示すように、本実施例による予め溶接点を設けたバックライトモジュールの構造は、主にバックライトモジュール１からなり、バックライトモジュール１は液晶ディスプレイの液晶パネルが必要とする光を提供する。
バックライトモジュール１は搭載基板１０を有し、搭載基板１０の表面には数個の弧型の凹溝１１が形成され、凹溝１１内に発光ダイオード１２が設置される。発光ダイオード１２は搭載基板１０と接続され、バックライトモジュール１の光を生成する。発光ダイオード１２の外側は、半球形のレンズ１３によって覆われて密封されている。レンズ１３と搭載基板１０の凹溝１１との間には蛍光粉や添加剤などを充填でき、発光効果をより高めることができる。
上述の内容は、従来技術によるバックライトモジュール１の構造と同様であるので、これ以上の説明は省略する。
【００１３】
搭載基板１０表面のそれぞれの発光ダイオード１２が設置されている位置の近くには、予備の発光ダイオードを設置するための溶接点１４が形成されているが、この予め設けられた溶接点１４は、この時点ではまだ如何なる部材とも接続されていないので、断路状態となっている。
溶接点１４に発光ダイオード１２を溶接した後、発光ダイオード１２と搭載基板１０とは電気的に接続され、元々設置されていた溶接点１４近くの発光ダイオード１２と同様の効果を発揮する。
【００１４】
本実施例において、搭載基板１０の表面に、それぞれの発光ダイオード１２が設置されている位置の近くには一組の溶接点１４しか形成されていないが、必要に応じてそれぞれの発光ダイオード１２が設置されている位置の近くに二組以上の溶接点１４を設置することもできる。
【００１５】
図３、４に示すように、仮に搭載基板１０上の一発光ダイオード１２が故障して正常に点灯しなくなった場合でも、その位置のレンズ１３およびレンズ１３の下の故障した発光ダイオード１２を取り外して交換する必要がなく、搭載基板１０上の故障した発光ダイオード１２の隣の溶接点１４上に正常な発光ダイオード１２を溶接するだけでよい。新しく溶接した発光ダイオード１２は故障した発光ダイオード１２の代わりとして使用でき、煩わしい修理作業や全体を廃棄する必要がない。
【００１６】
図５は、本考案の第２実施例による予め溶接点を設けたバックライトモジュールの構造を示す側面図である。図６は、本考案の第２実施例による予め溶接点を設けたバックライトモジュールの構造の使用状態を示す側面図である。主な部材は第１実施例と同一であるので、説明は省略する。
実施例１と異なる部分として、本考案の発光ダイオード１２が、直接搭載基板１０の表面に設置され、さらに半球形のレンズ１３によって密封されている。この種の形態の搭載基板１０もそれぞれの発光ダイオード１２の隣に予め設けられた溶接点１４によって、修理が便利になっている。
【００１７】
本考案の実施例によれば、搭載基板上の一発光ダイオードが故障して正常に点灯しなくなった場合でも、その位置のレンズおよびレンズの下の故障した発光ダイオードを取り外して交換する必要がなく、搭載基板上の予備の溶接点に故障した発光ダイオードの隣の溶接点上に正常な発光ダイオードを溶接するだけで、新しく溶接した発光ダイオードは故障した発光ダイオードの代わりとなる。
上述の説明は本考案の好適な実施例を示すものであり、本考案の特徴を損なうものでなければ、実施例に制限されないことは勿論である。
【図面の簡単な説明】
【００１８】
【図１】本考案の実施例１による予め溶接点を設けたバックライトモジュールの構造を示す俯瞰図である。
【図２】本考案の実施例１による予め溶接点を設けたバックライトモジュールの構造を示す断面図である。
【図３】本考案の実施例１による予め溶接点を設けたバックライトモジュールの構造の溶接点を使用した状態を示す俯瞰図である。
【図４】本考案の実施例１による予め溶接点を設けたバックライトモジュールの構造の溶接点を使用した状態を示す断面図である。
【図５】本考案の第２実施例による予め溶接点を設けたバックライトモジュールの構造を示す側面図である。
【図６】本考案の第２実施例による予め溶接点を設けたバックライトモジュールの構造の使用状態を示す側面図である。
【図７】従来技術によるバックライトモジュールを示す俯瞰図である。
【図８】従来技術によるバックライトモジュールを示す断面図である。
【図９】もう一つの従来技術によるバックライトモジュールを示す側面図である。
【符号の説明】
【００１９】
１    バックライトモジュール
１０  搭載基板
１１  凹溝
１２  発光ダイオード
１３  レンズ
１４  溶接点
【図１】
0003116245.tif 000003
【図２】
0003116245.tif 000004
【図３】
0003116245.tif 000005
【図４】
0003116245.tif 000006
【図５】
0003116245.tif 000007
【図６】
0003116245.tif 000008
【図７】
0003116245.tif 000009
【図８】
0003116245.tif 000010
【図９】
0003116245.tif 000011